Podtech/llm-jp-corpus-v4-ja_patent huggingface dataset:
【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
遊離形態または塩形態の、式Ｉ：
【化１】
2017536410.tif 000001
［式中、
（ｉ）Ｒ1およびＲ2は窒素原子と一緒になってヘテロＣ3-7シクロアルキルを形成し；
（ｉｉ）Ｒ3は、ＨまたはＣ1-4アルキルであり；
（ｉｉｉ）Ｒ4は、Ｃ1-4アルキル、Ｃ3-7シクロアルキル、Ｃ1-4アルコキシおよびハロＣ1-4アルキルから選択される１個以上の基で置換されていてもよい、ヘテロアリールまたはアリールであり；
（ｉｖ）Ｒ6は、ＨまたはＣ1-4アルキルである］
の化合物。
【請求項２】
Ｒ4が、Ｃ1-4アルキル、Ｃ3-7シクロアルキル、Ｃ1-4アルコキシおよびハロＣ1-4アルキルから選択される１個以上の基で置換されていてもよいアリールである、遊離形態または塩形態の請求項１記載の化合物。
【請求項３】
Ｒ6がＣ1-4アルキルである、遊離形態または塩形態の請求項１または２記載の化合物。
【請求項４】
化合物が、
７−(アゼチジン−１−イル)−３−メチル−１−(１−メチル−５−(４−(トリフルオロメチル)フェニル)−１Ｈ−ピラゾール−４−イル)−１Ｈ−ピラゾロ[４,３−ｄ]ピリミジン；
７−(アゼチジン−１−イル)−１−(５−(４−メトキシ−２−メチルフェニル)−１−メチル−１Ｈ−ピラゾール−４−イル)−３−メチル−１Ｈ−ピラゾロ[４,３−ｄ]ピリミジン；
７−(アゼチジン−１−イル)−１−(５−(４−シクロプロピルフェニル)−１−メチル−１Ｈ−ピラゾール−４−イル)−３−メチル−１Ｈ−ピラゾロ[４,３−ｄ]ピリミジン；
７−(アゼチジン−１−イル)−１−(５−(４−エチルフェニル)−１−メチル−１Ｈ−ピラゾール−４−イル)−３−メチル−１Ｈ−ピラゾロ[４,３−ｄ]ピリミジン
からなる群から選択される、遊離形態または塩形態の請求項１、２または３記載の化合物。
【請求項５】
遊離形態または塩形態の請求項１〜４いずれか１項記載の化合物を薬剤的に許容される希釈剤もしくは担体と組み合わせてまたは薬剤的に許容される希釈剤もしくは担体と一緒に含む医薬組成物。
【請求項６】
遊離形態または塩形態の請求項１〜４いずれか１項記載の化合物を含む医薬。
【請求項７】
ＰＤＥ２媒介障害の処置のための、請求項５記載の医薬組成物または請求項６記載の医薬。
【請求項８】
該障害が、神経障害；パーキンソン病およびうつ病に付随した認知機能障害；精神遅滞；睡眠障害；精神障害；作為症；衝動制御障害；気分障害；精神運動障害；精神病性障害；薬物依存；摂食障害；小児精神障害；向精神物質の使用に起因する精神的および行動的障害；心血管障害；および疼痛からなる群から選択される、請求項７記載の医薬組成物または医薬。
【請求項９】
該障害が、不安、うつ病、自閉症スペクトラム症、統合失調症、自閉症および／または統合失調症患者における不安および／またはうつ病、および統合失調症または認知症に関連する認知障害から選択される、請求項７記載の医薬組成物または医薬。
【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
遊離形態または塩形態の、式Ｉ：
【化１】
2017536409.tif 000001
［式中、
（ｉ）Ｒ1は、Ｃ1-4アルキルであり；
（ｉｉ）Ｒ2は、
Ｈ、
−ＯＨ、
ハロ、
Ｃ1-4アルキル、
Ｃ1-4アルコキシ、
−Ｎ(Ｒf)(Ｒg）、
−Ｃ(Ｏ)Ｎ(Ｒh)(Ｒi）、
−Ｃ(Ｏ)ＯＲj、
−ＣＮ、
Ｃ1-4アルキルチオ、
ヘテロアリール、
ヘテロＣ3-7シクロアルキル、および
アリールオキシ（ここで、該アリールは、１個以上のハロ（例えば、フルオロ）で置換されていてもよい）
からなる群から選択され；
（ｉｉｉ）Ｒ3は、ＨまたはＣ1-4アルキルであり；
（ｉｖ）Ｒa、Ｒb、Ｒc、ＲdおよびＲeは、独立して、Ｈ、ハロ、−Ｏ−Ｃ1-6アルキルであり；
（ｖ）ＲfおよびＲgは、独立して、Ｈ、Ｃ1-4アルキルまたはヘテロアリールであり；
（ｖｉ）ＲhおよびＲiは、独立して、ＨまたはＣ1-4アルキルであり；
（ｖｉｉ）Ｒjは、ＨまたはＣ1-4アルキルである］
の化合物。
【請求項２】
化合物が、式Ｉ（ｉ）：
【化２】
2017536409.tif 000002
である、遊離形態または塩形態の請求項１記載の化合物。
【請求項３】
（ｉ）Ｒ1がＣ1-4アルキルであり；
（ｉｉ）Ｒ2がＣ1-4アルコキシであり；
（ｉｉｉ）Ｒ3がＨであり；
（ｉｖ）Ｒb、ＲcおよびＲeがＨであり；Ｒaがハロであり、Ｒdが−Ｏ−Ｃ1-6アルキルである、
遊離形態または塩形態の請求項１または２記載の化合物。
【請求項４】
化合物が、
１−(５−ブトキシ−２−フルオロフェニル)−８−(４−フルオロフェノキシ)−３−メチル−１Ｈ−ピラゾロ[４,３−ｃ][１,５]ナフチリジン−４(５Ｈ)−オン；
１−(５−ブトキシ−２−フルオロフェニル)−８−(ジメチルアミノ)−３−メチル−１Ｈ−ピラゾロ[４,３−ｃ][１,５]ナフチリジン−４(５Ｈ)−オン；
１−(５−ブトキシ−２−フルオロフェニル)−３−メチル−８−(ピロリジン−１−イル)−１Ｈ−ピラゾロ[４,３−ｃ][１,５]ナフチリジン−４(５Ｈ)−オン；
１−(５−ブトキシ−２−フルオロフェニル)−３−メチル−８−(１Ｈ−ピラゾール−１−イル)−１Ｈ−ピラゾロ[４,３−ｃ][１,５]ナフチリジン−４(５Ｈ)−オン；
１−(５−ブトキシ−２−フルオロフェニル)−３−メチル−８−(ピリジン−２−イルアミノ)−１Ｈ−ピラゾロ[４,３−ｃ][１,５]ナフチリジン−４(５Ｈ)−オン；
１−(５−ブトキシ−２−フルオロフェニル)−８−(エチルチオ)−３−メチル−１Ｈ−ピラゾロ[４,３−ｃ][１,５]ナフチリジン−４(５Ｈ)−オン；
１−(５−ブトキシ−２−フルオロフェニル)−３−メチル−４−オキソ−４,５−ジヒドロ−１Ｈ−ピラゾロ[４,３−ｃ][１,５]ナフチリジン−８−カルボニトリル；
１−(５−ブトキシ−２−フルオロフェニル)−３−メチル−４−オキソ−４,５−ジヒドロ−１Ｈ−ピラゾロ[４,３−ｃ][１,５]ナフチリジン−８−カルボン酸；
１−(５−ブトキシ−２−フルオロフェニル)−３−メチル−４−オキソ−４,５−ジヒドロ−１Ｈ−ピラゾロ[４,３−ｃ][１,５]ナフチリジン−８−カルボン酸エチル；
１−(５−ブトキシ−２−フルオロフェニル)−Ｎ−エチル−３−メチル−４−オキソ−４,５−ジヒドロ−１Ｈ−ピラゾロ[４,３−ｃ][１,５]ナフチリジン−８−カルボキサミド；
１−(５−ブトキシ−２−フルオロフェニル)−３−メチル−４−オキソ−３ａ,４−ジヒドロ−１Ｈ−ピラゾロ[４,３−ｃ][１,５]ナフチリジン−８−カルボキサミド；
８−クロロ−１−(２−クロロ−５−(シクロプロピルメトキシ)フェニル)−３−メチル−１Ｈ−ピラゾロ[４,３−ｃ][１,５]ナフチリジン−４(５Ｈ)−オン；
１−(２,５−ジクロロフェニル)−３−メチル−１Ｈ−ピラゾロ[４,３−ｃ][１,５]ナフチリジン−４(５Ｈ)−オン；
１−(２−クロロフェニル)−３−メチル−１Ｈ−ピラゾロ[４,３−ｃ][１,５]ナフチリジン−４(５Ｈ)−オン；
１−(２−クロロフェニル)−３,５−ジメチル−１Ｈ−ピラゾロ[４,３−ｃ][１,５]ナフチリジン−４(５Ｈ)−オン；
１−(２,５−ジクロロフェニル)−３,５−ジメチル−１Ｈ−ピラゾロ[４,３−ｃ][１,５]ナフチリジン−４(５Ｈ)−オン；
１−(５−ブトキシ−２−クロロフェニル)−３−メチル−１Ｈ−ピラゾロ[４,３−ｃ][１,５]ナフチリジン−４(５Ｈ)−オン；
１−(５−ブトキシ−２−フルオロフェニル)−３−メチル−１Ｈ−ピラゾロ[４,３−ｃ][１,５]ナフチリジン−４(５Ｈ)−オン；
８−クロロ−１−(２,５−ジクロロフェニル)−３−メチル−１Ｈ−ピラゾロ[４,３−ｃ][１,５]ナフチリジン−４(５Ｈ)−オン；
１−(５−ブトキシ−２−クロロフェニル)−８−クロロ−３−メチル−１Ｈ−ピラゾロ[４,３−ｃ][１,５]ナフチリジン−４(５Ｈ)−オン；
１−(５−ブトキシ−２−クロロフェニル)−８−メトキシ−３−メチル−１Ｈ−ピラゾロ[４,３−ｃ][１,５]ナフチリジン−４(５Ｈ)−オン；および
１−(２−クロロ−５−(シクロブチルメトキシ)フェニル)−８−メトキシ−３−メチル−１Ｈ−ピラゾロ[４,３−ｃ][１,５]ナフチリジン−４(５Ｈ)−オン
からなる群から選択される、遊離形態または塩形態の請求項１または２記載の化合物。
【請求項５】
遊離形態または塩形態の請求項１〜４いずれか１項記載の化合物を薬剤的に許容される希釈剤もしくは担体と組み合わせてまたは薬剤的に許容される希釈剤もしくは担体と一緒に含む医薬組成物。
【請求項６】
遊離形態または塩形態の請求項１〜４いずれか１項記載の化合物を含む医薬。
【請求項７】
ＰＤＥ２媒介障害の処置のための、請求項５記載の医薬組成物または請求項６記載の医薬。
【請求項８】
該障害が、神経障害；認知障害；パーキンソン病およびうつ病に付随した認知機能障害；精神遅滞；睡眠障害（；精神障害；作為症；衝動制御障害；気分障害；精神運動障害；精神病性障害；薬物依存；摂食障害；小児精神障害；向精神物質の使用に起因する精神的および行動的障害；心血管障害；および疼痛からなる群から選択される、請求項７記載の医薬組成物または医薬。
【請求項９】
該障害が、不安、うつ病、自閉症スペクトラム症、統合失調症、自閉症および／または統合失調症患者における不安および／またはうつ病、および統合失調症または認知症に関連する認知障害から選択される、請求項７記載の医薬組成物または医薬。
【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
（ａ）１０〜７５重量％の少なくとも１つの増粘剤、
（ｂ）１５〜９０重量％の少なくとも１つの液体媒体であって、前記少なくとも１つの液体媒体の各々が食用油である、液体媒体、及び、
（ｃ）少なくとも１つの、界面活性剤、乳化剤、またはその両方であり得る懸濁化剤、を含む組成物であって、
前記組成物が、７５重量％を超える消費者グレード成分からなり、前記組成物と水または水溶液との混合が火災抑制水強化性（ｗａｔｅｒ−ｅｎｈａｎｃｉｎｇ）ヒドロゲルを形成する、組成物。
【請求項２】
前記組成物が、最大で１０重量％の前記少なくとも１つの懸濁化剤を含む、請求項１に記載の組成物。
【請求項３】
１つ以上の添加剤を更に含み、その各々が非毒性かつ生分解性であり、前記１つ以上の添加剤が、場合により塩、抗菌剤、抗真菌剤、酸化防止剤、着色剤、粘土、分散剤、またはこれらの任意の２つ以上の組み合わせを含む、請求項１または２に記載の組成物。
【請求項４】
前記少なくとも１つの増粘剤、懸濁化剤、及び液体媒体の各々が、非毒性かつ生分解性であり、
前記組成物が、ＣＳ−３４スピンドルを有するＢｒｏｏｋｆｉｅｌｄ  ＬＶＤＶＥ粘度計を用いて６．０ｒｐｍで測定した場合に、≧１０００ｃＰ、≧２５００ｃＰ、≧５０００ｃＰ、または≧１００００ｃＰの粘度を有し、
前記少なくとも１つの増粘剤及び懸濁化剤の各々が、周囲条件下で固体または液体である、請求項１〜３のいずれか１項に記載の組成物。
【請求項５】
前記少なくとも１つの増粘剤が、ガム（ガムは、場合によりグアーガム、キサンタンガム、アルギン酸ナトリウム、寒天、ローカストビーンガム、またはキサンタンガムとグアーガムの組み合わせのような、これらの組み合わせである。）、デンプン（デンプンは、場合によりトウモロコシデンプン、ジャガイモデンプン、タピオカ、コメデンプン、カルボキシメチルセルロースナトリウム塩、またはこれらの組み合わせである。）、またはガムとデンプンとの組み合わせを含む、請求項１〜４のいずれか１項に記載の組成物。
【請求項６】
記懸濁化剤が、レシチン、リゾレシチン、ポリソルベート、カゼイン酸ナトリウム、モノグリセリド、脂肪酸、脂肪アルコール、糖脂質、もしくはタンパク質、またはレシチンと脂肪アルコールとの組み合わせのような、これらの組み合わせである、請求項１〜５のいずれか１項に記載の組成物。
【請求項７】
前記食用油が、堅果油、種子油、植物油、野菜油、キャノーラ油、またはこれらの組み合わせである、請求項１〜６のいずれか１項に記載の組成物。
【請求項８】
前記組成物が、キサンタンガム、グアーガム、トウモロコシデンプン、及びキャノーラ油を含むか、あるいは前記組成物が、
１５〜２５重量％のキサンタンガム、
１０〜２０重量％のグアーガム、
１０〜２０重量％のトウモロコシデンプン、
１〜５重量％のレシチン、及び
３０〜６４重量％のキャノーラ油、を含む、請求項１〜７のいずれか１項に記載の組成物。
【請求項９】
前記組成物が、＞８０重量％、＞８５重量％、＞９０重量％、＞９５重量％、＞９８重量％、または１００重量％の消費者グレード成分からなり、前記消費者グレード成分が、食品グレードでありうる、請求項１〜８のいずれか１項に記載の組成物。
【請求項１０】
約０．１〜３０重量％の請求項１〜９のいずれか１項に記載の組成物と、
７０〜９９．９重量％の水または水溶液と、を含むヒドロゲルであって、
消火、火災抑制、及び／または防火に有用な水強化性火災抑制剤である、ヒドロゲル。
【請求項１１】
前記組成物の重量百分率が、０．１〜１重量％、１〜５重量％、５〜１０重量％、または１５〜３０重量％であり、
前記ヒドロゲルの粘度が、Ｖｉｓｃｏｌｉｔｅ７００粘度計で測定した場合、０．１〜１ｃＰ、１〜５ｃＰ、５〜１０ｃＰ、１０〜１５ｃＰ、１５〜３０ｃＰ、３０〜６０ｃＰ、６０〜９０ｃＰ、９０〜１２０ｃＰ、１２０〜１５０ｃＰ、または＞１５０ｃＰであり、
前記ヒドロゲルが、非ニュートン流体性、擬塑性、及び／またはチキソトロープ性挙動を示し、
前記ヒドロゲルが、それが適用される表面に接着し、および／または
前記ヒドロゲルが、燃焼表面に適用された場合に、火災を抑制及び／または消滅させるか、または前記ヒドロゲルが、非燃焼表面に適用された場合に、発火を防止する、請求項１０に記載のヒドロゲル。
【請求項１２】
請求項１〜９のいずれか１項に記載の組成物を水または水溶液と組み合わせることと、
前記組成物及び水溶液を混合して本質的に均質なゲルを得ることと、を含む、水強化性火災抑制ヒドロゲルを作製する方法。
【請求項１３】
前記組成物の重量百分率が、前記ヒドロゲルにおける特定の粘度及び／または表面接着性を達成するように選択され、
前記組成物の重量百分率が、約１〜約５重量％でありうる、請求項１２に記載の方法。
【請求項１４】
前記組み合わせるステップが、前記組成物の手動添加または直接的な機械的注入を含み、
前記水または水溶液が、場合により車両または運搬可能な装置の外部のまたはそこに搭載されているタンク内に保持されており、および／または
手動攪拌、機械的攪拌、循環システム、またはせん断力の適用（例えば、消火ホース内での）を介して混合が行われる、請求項１２または１３に記載の方法。
【請求項１５】
容器内の請求項１〜９のいずれか１項に記載の組成物と、
請求項１２〜１４のいずれか１項に記載の方法を用いて、前記組成物からヒドロゲルを生成するための指示書と、を含むキット。
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
複数のホイルウェブ（６ｋ）のためのホイルウェブガイド（２）とシートガイド（３）と機械制御（１９）とを有する平坦なホイル印刷プレスであって、
シート送り方向（Ｘ）に延び、ホイルウェブ（６ｋ）が送られるエンボス領域（１６ｋ）と間に吸引開口（２２）を有する吸引領域（１５ｋ）を備える排気可能な背圧プレート（９）を有し、
前記吸引領域（１５ｋ）は、前記シート送り方向（Ｘ）に連続的である複数の吸引セグメント（１０ｉ）に区分され、
前記吸引セグメントは真空供給ライン（１２ｉ）を経由して真空切り替え要素（１３ｉ）を介して真空源（１４）にそれぞれ接続され、前記機械制御により制御可能であり、
エンボス加工後、前記シートに覆われたすべての前記吸引セグメント（１０ｉ）は最初に排気可能であり、その後に、エンボス加工されたシート（５）が送られるときに、前記シートに覆われていない前記吸引セグメント（１０ｉ）は引続いて前記真空源（１４）との接続を断つことができる、平坦なホイル印刷プレス。
【請求項２】
それぞれの吸引セグメント（１０ｉ）における前記吸引領域（１５ｋ）は吸引開口（２２）と、前記対応する真空供給ライン（１２ｉ）と前記真空切り替え要素（１３ｉ）への接続開口（２３）とを有する真空チャンバ（１１ｉ）を備えることを特徴とする、請求項１に記載の平坦なホイル印刷プレス。
【請求項３】
真空吸引バルブは前記真空供給ライン（１２ｉ）上に真空切り替え要素（１３ｉ）として提供されることを特徴とする、請求項１または２に記載の平坦なホイル印刷プレス。
【請求項４】
制御された真空切り替えバルブは前記真空供給ライン上に真空切り替え要素（１３ｉ）として提供されることを特徴とする、請求項１から３のいずれか１項に記載の平坦なホイル印刷プレス。
【請求項５】
切り替え可能で調整可能な真空源（１４）のための前記機械制御（１９）を有する、請求項１から４のいずれか１項に記載の平坦なホイル印刷プレス。
【請求項６】
前記背圧プレート（９）は上側プレート（９ａ）と下側プレート（９ｂ）とを備え、前記上側プレート（９ａ）はそれぞれの吸引セグメント（１０ｉ）内に真空チャンバ（１１ｉ）と吸引開口（２２）とを有する吸引領域（１５ｋ）を備え、前記下側プレートはそれぞれの真空チャンバ（１１ｉ）への接続開口（２３）を有することを特徴とする、請求項１から５のいずれか１項に記載の平坦なホイル印刷プレス。
【請求項７】
前記背圧プレート（９）は上側プレート（９ａ）として、前記吸引領域（１５ｋ）において、真空チャンバ（１１ｉ）と吸引開口（２２）と、前記吸引ストリップ（２０ｋ）を取り囲むサポートマスク（２４）を備えることを特徴とする、請求項６に記載の平坦なホイル印刷プレス。
【請求項８】
前記吸引ストリップ（２０ｋ）は調整可能で、前記サポートマスク（２４）はそれに応じて適合されることを特徴とする、請求項７に記載の平坦なホイル印刷プレス。
【請求項９】
前記吸引領域（１５ｋ）における前記真空は所定のシートの停止によってスイッチオンされ、最終の前記吸引セグメントがシートの送り出しによって覆われなくなった後スイッチオフされることを特徴とする、請求項１から８のいずれか１項に記載の平坦なホイル印刷プレス。
【請求項１０】
前記吸引領域（１５ｋ）の表面は前記シート（５）への増した接着を有することを特徴とする、請求項１から９のいずれか１項に記載の平坦なホイル印刷プレス。
【請求項１１】
エンボス加工後、前記背圧プレートが低下するとすぐに前記ホイルウェブと前記シートとの間に空気流を送風する、圧縮された空気供給ライン（３５）を有する分離エアノズル（３４）が、前記背圧プレートの前記注入側に、前記シート（５）の真後ろかつホイルウェブ（６ｋ）の下に配置されることを特徴とする、請求項１から１０のいずれか１項に記載の平坦なホイル印刷プレス。
【請求項１２】
前記背圧プレートは、入口側に前記シート（５）の後方縁部の下で、真空供給ライン（３７）を有し、横方向（Ｙ）に延びる吸引領域（３６）を備えることを特徴とする、請求項１から１１のいずれか１項に記載の平坦なホイル印刷プレス。
【請求項１３】
複数のホイルウェブのためのホイルウェブガイドとシートガイドと機械制御とを有する平坦なホイル印刷プレスのための背圧プレートであって、
前記背圧プレート（９）は、シート内をシート送り方向（Ｘ）に延び、エンボス領域（１６ｋ）に隣り合いかつそれらの間に吸引開口（２２）を有して、その内部をホイルウェブ（６ｋ）が送られる吸引領域（１５ｋ）によって排気可能であり、
前記吸引領域（１５ｋ）は前記シート送り方向（Ｘ）に連続的で複数の吸引セグメント（１０ｉ）に区分され、前記吸引セグメントは真空切り替え要素（１３ｉ）を介して真空供給ライン（１２ｉ）によって真空源（１４）にそれぞれ接続され、前記機械制御により制御可能であり、
エンボス加工後、最初に前記シートに覆われたすべての吸引セグメント（１０ｉ）は排気可能であり、その後、エンボス加工されたシートが送り出されたとき、前記シートに覆われていない前記吸引セグメント（１０ｉ）は引き続いて前記真空源（１４）から接続を断つことができる、背圧プレート。
【請求項１４】
前記真空切り替え要素（１３ｉ）を有する前記背圧プレートは交換可能な方法で設計されることを特徴とする、請求項１３に記載の背圧プレート。
【手続補正書】
【提出日】平成30年11月20日(2018.11.20)
【手続補正１】
【補正対象書類名】特許請求の範囲
【補正対象項目名】全文
【補正方法】変更
【補正の内容】
【特許請求の範囲】
【請求項１】
裏材と、メークコート樹脂によって前記裏材に接着された研磨層であって、前記研磨層は複数の成形研磨粒子を備えている、研磨層と、
第１のベルト側部と、前記第１のベルト側部の反対側の第２のベルト側部と、を備えている研磨ベルトであって、前記第１のベルト側部及び前記第２のベルト側部は前記研削ベルトの長手方向軸線とほぼ位置合わせされており、
前記研磨層中の前記複数の成形研磨粒子の少なくとも３０％が第１の面を有し、かつ、前記第１の面と前記長手方向軸線との間の角度が０度超かつ２０度以下であるように前記裏材上に配置されている、
研磨ベルト。
【請求項２】
前記複数の成形研磨粒子は、前記第１の面の反対側の第２の面と、前記第１の面を前記第２の面に接続している側壁と、を備える、クラム１に記載の研磨ベルト。
【請求項３】
前記第１の面及び前記第２の面の両方の外辺が三角形である、請求項２に記載の研磨ベルト。
【請求項４】
前記研磨層中の前記複数の成形研磨粒子の７５％超が第１の面を有し、かつ、前記第１の面と前記長手方向軸線との間の角度が０超かつ２０度以下であるように前記裏材上に配置されている、請求項１、２又は３に記載の研磨ベルト。
【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
患者の血管を評価するためのシステムであって、処理システムを有し、該処理システムが、
前記患者の血管に関する画像データを取得し、
前記患者の血管に関する生理学的測定値を取得し、
取得された前記生理学的測定値を取得された前記画像データに対して、前記生理学的測定値が前記患者の血管の対応する部分に関連されるように位置合わせし、
位置合わせされた前記生理学的測定値を分析して、前記患者の血管の長さに沿った前記生理学的測定値の傾斜に基づいて、当該血管内の病変の分類を決定し、
ユーザインターフェースに前記病変の分類を出力する、
システム。
【請求項２】
前記病変の分類が、限局性、びまん性、及び多発性の病変を含む、請求項１に記載のシステム。
【請求項３】
前記処理システムが、更に、
前記取得された画像データを分析して前記血管の血管名を識別し、
前記ユーザインターフェースに前記血管名を当該血管の近傍において出力する、
請求項１に記載のシステム。
【請求項４】
前記処理システムが、前記血管の血管名を識別するためにコンピュータ支援の検出アルゴリズムを使用する、請求項３に記載のシステム。
【請求項５】
前記処理システムが、更に、医療施設の在庫データベースから前記病変の分類に応じたステントを自動的に推奨する、請求項１に記載のシステム。
【請求項６】
前記取得された画像データが、二次元血管造影画像、三次元血管造影画像又はコンピュータトモグラフィ血管造影（ＣＴＡ）画像のうちの少なくとも１つを含む、請求項１に記載のシステム。
【請求項７】
前記取得された生理学的測定値が、少なくとも１つの介入装置から入力される測定値を含む、請求項１に記載のシステム。
【請求項８】
前記少なくとも１つの介入装置を更に有する、請求項７に記載のシステム。
【請求項９】
前記少なくとも１つの介入装置が圧力感知性血管内装置を含み、前記取得された生理学的測定値が圧力測定値を含む、請求項８に記載のシステム。
【請求項１０】
前記処理システムが、更に、取得された前記圧力測定値に基づいて圧力比を計算する、請求項９に記載のシステム。
【請求項１１】
前記少なくとも１つの介入装置がフロー感知性血管内装置を含み、前記取得された生理学的測定値がフロー測定値を含む、請求項８に記載のシステム。
【請求項１２】
前記ユーザインターフェースを更に有する、請求項１に記載のシステム。
【請求項１３】
前記処理システムが、前記病変の分類を前記ユーザインターフェースに、該分類の表示を前記血管の画像上に前記病変の位置の近傍において重ね合わせることにより出力する、請求項１２に記載のシステム。
【請求項１４】
患者の血管を評価する方法であって、
前記患者の血管に関する画像データを取得するステップと、
前記患者の血管に関する生理学的測定値を取得するステップと、
取得された前記生理学的測定値を取得された前記画像データに対して、前記生理学的測定値が前記患者の血管の対応する部分に関連されるように位置合わせするステップと、
位置合わせされた前記生理学的測定値を分析して、前記患者の血管の長さに沿った前記生理学的測定値の傾斜に基づいて、当該血管内の病変の分類を決定するステップと、
ユーザインターフェースに前記病変の分類を出力するステップと、
を有する、方法。
【請求項１５】
前記ユーザインターフェースに前記病変の分類を出力するステップが、前記分類の表示を前記血管の画像上に前記病変の位置の近傍において重ね合わせるステップを含み、前記病変の分類が、限局性、びまん性、及び多発性の病変を含む、請求項１４に記載の方法。
【手続補正書】
【提出日】平成30年11月21日(2018.11.21)
【手続補正１】
【補正対象書類名】特許請求の範囲
【補正対象項目名】全文
【補正方法】変更
【補正の内容】
【特許請求の範囲】
【請求項１】
患者の脈管を評価するためのシステムであって、前記システムは、
少なくとも１つの血管内デバイスに接続可能なコンピューティングデバイスを備え、前記コンピューティングデバイスが、
前記患者の前記脈管に関する生理学的情報を示す画像データを取得し、
前記少なくとも１つの血管内デバイスから、前記患者の前記脈管に関する生理学的測定量を取得し、
前記生理学的測定量が前記患者の前記脈管の前記生理学的情報の対応する部分に関連付けられるように、取得された前記生理学的測定量を取得された前記画像データとコレジストレーションし、
関心領域を識別するために、コレジストレーションされた前記生理学的測定量及び前記生理学的情報を分析し、
前記関心領域に関する提案される診断処置をユーザインターフェースに出力する、
システム。
【請求項２】
前記取得された生理学的測定量が圧力測定量を含む、請求項１に記載のシステム。
【請求項３】
前記コンピューティングデバイスが、更に、前記取得された圧力測定量に基づいて圧力比を計算する、請求項２に記載のシステム。
【請求項４】
提案される前記診断処置が、血管内撮像処置を含む、請求項１に記載のシステム。
【請求項５】
前記提案される血管内撮像処置が、血管内超音波（ＩＶＵＳ）処置及び光干渉断層画像診断法（ＯＣＴ）処置の少なくとも一方を含む、請求項４に記載のシステム。
【請求項６】
前記提案される診断処置が、血管内流量測定処置を含む、請求項１に記載のシステム。
【請求項７】
前記取得された生理学的測定量が、流量測定量を含む、請求項１に記載のシステム。
【請求項８】
前記提案される診断処置が、血管内撮像処置及び血管内圧力測定処置の少なくとも一方を含む、請求項７に記載のシステム。
【請求項９】
前記取得された画像データが、血管外撮像システムから受信された画像データを含む、請求項１に記載のシステム。
【請求項１０】
前記取得された画像データが、２次元血管造影画像、３次元血管造影画像、及びコンピュータ断層撮影血管造影（ＣＴＡ）画像の少なくとも１つを含む、請求項９に記載のシステム。
【請求項１１】
前記少なくとも１つの血管内デバイスを更に備える、請求項１に記載のシステム。
【請求項１２】
前記コレジストレーションされた生理学的測定量の分析に基づいて、前記関心領域に関する前記提案される診断処置を視覚化するための前記ユーザインターフェースを更に備える請求項１又は１１に記載のシステム。
【請求項１３】
前記生理学的情報を示す画像データが定量的冠動脈造影に基づく、請求項１０に記載のシステム。
【請求項１４】
患者の脈管を評価する方法であって、
前記患者の前記脈管に関する生理学的情報を示す画像データを取得するステップと、
前記少なくとも１つの血管内デバイスから前記患者の前記脈管に関する生理学的測定量を取得するステップと、
前記生理学的測定量が前記患者の前記脈管の前記生理学的情報の対応する部分に関連付けられるように、前記取得された生理学的測定量を前記取得された画像データとコレジストレーションするステップと、
関心領域を識別するために、コレジストレーションされた前記生理学的測定量及び前記生理学的情報を分析するステップと、
前記関心領域に関する提案される診断処置をユーザインターフェースに出力するステップと
を含む、方法。
【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
ポリマー樹脂（５０）及び繊維状基材（５１）を含む構造化又は半構造化された複合部材を製造するための成形装置（１）において、
底部、側面、下側部分（３）、及び金型を閉じるために前記下側部分と接触することができる上側部分（４）を含む金型（２）と、
金型の側面に沿って移動することができ、前記金型（２）の底部及び側面（５）と共にキャビティ（７）を形成する圧縮表面（１４）を含む可動部分（１０）と
を含み、
可動部分（１０）が、キャビティの上方に位置し前記キャビティ（７）と連通するチャンバ（４２）内に開口する真空引きチャネル（１３）を含むこと、及び
可動部分（１０）が、金型の側面に沿って移動することができるパンチ（１１）と、射出ヘッド（２０）とをさらに含み、前記射出ヘッドが開口（２６）によりキャビティ（７）と連通する射出カラム（２２）を画定する壁（２１）を備えていること
を特徴とする成形装置。
【請求項２】
下面を備えた下側部分（３２）、上側部分（３３）、及び凹み（３１）を含むピストン（３０）をさらに含み、前記ピストンが、射出カラム（２２）に沿って、その下面が射出ヘッドの壁及び開口と共に射出カラムの下部を画定する開位置と呼ばれる少なくとも１つの第１の位置と、ピストンが射出カラムの開口を遮断する少なくとも１つの第２の位置との間で移動することができることを特徴とする、請求項１に記載の成形装置。
【請求項３】
可動部分（１０）が、カラー（４０）をさらに含み、前記カラーが、パンチ（１１）の側面に沿って、カラー（４０）の下面がパンチの側面と共に開口（４４）を介してキャビティ（７）と連通する収縮空間（４２）を画定する開位置と呼ばれる少なくとも１つの第１の位置と、カラーが前記開口（４４）を遮断する閉位置と呼ばれる少なくとも１つの第２の位置との間で移動することができることを特徴とする、請求項１又は２に記載の成形装置。
【請求項４】
収縮空間（４２）がパンチ（３０）内に位置する周辺の溝（４３）を含むことを特徴とする、請求項３に記載の成形装置。
【請求項５】
真空引きチャネル（１３）が、パンチ内に位置し、収縮空間からなるチャンバ（４２）内、又は前記収縮空間の周辺の溝（４３）内に開口するチャネルからなることを特徴とする、請求項１、３及び４の何れか一項に記載の成形装置。
【請求項６】
射出ヘッド（２０）がその壁内に、樹脂を射出するための少なくとも１つの下部第１チャネル（２３．１）及び前記射出ヘッドからの樹脂の排出のための少なくとも１つの上部第１チャネル（２３．２）をさらに含み、前記第１の下部及び上部チャネルが直接上下に配置されて、ピストンの凹み及び射出ヘッドの壁と共に少なくとも１つの樹脂再循環回路を形成することを特徴とする、請求項１又は２に記載の成形装置。
【請求項７】
射出ヘッド（２０）がその壁内に、樹脂を射出するための少なくとも１つの下部第２チャネル（２４．１）及び前記射出ヘッドからの樹脂の排出のための少なくとも１つの上部第２チャネル（２４．２）をさらに含み、前記第２の下部及び上部チャネルが直接上下に配置されて、ピストンの凹み及び射出ヘッドの壁と共に少なくとも１つの樹脂再循環回路を形成することを特徴とする、請求項１又は２に記載の成形装置。
【請求項８】
射出ヘッド（２０）がその壁内に、樹脂を射出するためのｎ個の下部チャネル及び射出カラムから樹脂を排出するためのｍ個の上部チャネルを含み、ｎが２以上であり、ｍが２以上であり、ｎがｍと等しいか又は異なっていて、ｎがｍより小さければｎ個の樹脂再循環回路を形成し、又はｍがｎより小さいときはｍ個の再循環回路を形成することを特徴とする、請求項１又は２に記載の成形装置。
【請求項９】
射出カラム（２２）の上側部分が、押し付けられることが意図され、ピストン（３０）の上側部分（３３）を受容することができる空間（２７）からなり、前記ピストンが、射出カラム（２２）に沿った前記ピストンの変位を可能にするために油圧式であることを特徴とする、請求項１又は２に記載の成形装置。
【請求項１０】
ポリマー樹脂及び繊維状基材を含む構造化又は半構造化された複合部材を製造する方法において、請求項１から９の何れか一項に記載の射出装置を使用して実施され、
ａ）繊維状基材をキャビティ内に配置する工程と、
ｂ）成形装置の可動部分内に位置する真空引きチャネルを介してキャビティ内を真空引きする工程と、
ｃ）樹脂射出チャネルを介して既定量のポリマー樹脂をキャビティ内に射出することによって繊維状基材に含浸させ、次いで成形装置の可動部分により前記樹脂を圧縮する工程と
を含むことを特徴とする、製造方法。
【請求項１１】
キャビティ内の未射出樹脂を再循環させる工程をさらに含み、前記再循環工程は樹脂圧縮工程の前、間、又は後に実施し得ることを特徴とする、請求項１０に記載の製造方法。
【請求項１２】
樹脂射出工程の前にチャンバ閉鎖工程をさらに含むことを特徴とする、請求項１０に記載の製造方法。
【請求項１３】
チャンバ閉鎖工程が、前記カラーの閉位置への変位によって収縮空間の開口をカラーの下面により遮断することからなることを特徴とする、請求項１２に記載の製造方法。
【請求項１４】
ポリマー樹脂の多成分射出、特に二成分射出を可能にすることを特徴とする、請求項１０から１３の何れか一項に記載の製造方法。
【請求項１５】
熱硬化性ポリエステル樹脂、熱硬化性ビニル−エステル樹脂、熱硬化性アクリル樹脂、前記熱硬化性ポリエステル、ビニル−エステル、及びアクリル樹脂の混合物、熱硬化性ポリウレタン樹脂、熱硬化性エポキシ樹脂、熱可塑性アクリル樹脂、熱可塑性ポリアミド樹脂から選択される、二成分モードにおける請求項１０から１４の何れか一項に記載の製造方法を実施するための液体ポリマー樹脂。
【請求項１６】
請求項１０から１４の何れか一項に記載の製造方法を実施することによって得られ、自動車、道路輸送、例えばトラック、鉄道輸送、海上輸送、及び航空、風力、太陽光発電、太陽（熱）、建築、土木工学、家具及び都市インフラストラクチャー、信号、スポーツ及びレジャー活動の分野に使用できることを特徴とする、構造化又は半構造化された複合部材。
【請求項１７】
いわゆる「ネットシェイプ」であり、すなわち残留する成形スプルーを含まず、離型後仕上げ処理をすることなく使用できることを特徴とする、請求項１６に記載の構造化又は半構造化された複合部材。
【手続補正書】
【提出日】平成30年11月21日(2018.11.21)
【手続補正１】
【補正対象書類名】特許請求の範囲
【補正対象項目名】全文
【補正方法】変更
【補正の内容】
【特許請求の範囲】
【請求項１】
吸入をモニタリングするためのシステムであって、
マウスピース、フローチャネルおよび薬剤を含む薬剤送達装置であって、前記フローチャネルを介したユーザの吸入の結果として、前記ユーザに前記薬剤を送達するように構成される、薬剤送達装置と、
前記フローチャネルに空気的に接続された圧力センサを含み、前記フローチャネルを介して前記薬剤を受け取るための前記マウスピースを介した前記ユーザの吸入に基づいて、前記圧力センサが少なくとも１つの圧力値を提供するように構成される、モニタリング装置と、
前記少なくとも１つの圧力値を受け取ると、前記少なくとも１つの圧力値に基づいて、吸気の測度を決定し、前記吸気の測度に基づいて、ユーザの肺機能を示す呼気の測度を決定するプロセッサと、
を含む、システム。
【請求項２】
前記薬剤送達装置は、マウスピースカバーをさらに備え、前記薬剤送達装置は、前記マウスピースカバーが開かれたときに前記薬剤を吸入可能にするように構成される、請求項１に記載のシステム。
【請求項３】
前記吸気の測度は総吸入容量を含み、前記呼気の測度は１秒間強制呼気容量（ＦＥＶ１）を含む、請求項１に記載のシステム。
【請求項４】
前記吸気の測度は最大吸気流（ＰＩＦ）を含み、前記呼気の測度は１秒間強制呼気容量（ＦＥＶ１）を含む、請求項１に記載のシステム。
【請求項５】
前記吸気の測度は総吸入容量を含み、前記呼気の測度はピーク呼気流量（ＰＥＦ）を含む、請求項１に記載のシステム。
【請求項６】
前記吸気の測度は最大吸気流（ＰＩＦ）を含み、前記呼気の測度はピーク呼気流量（ＰＥＦ）を含む、請求項１に記載のシステム。
【請求項７】
前記少なくとも１つの圧力値は前記ユーザによる複数回の吸入に関連する、請求項１に記載のシステム。
【請求項８】
前記呼気の測度は、前記ユーザのバイオメトリックデータに基づいて決定され、前記ユーザのバイオメトリックデータは、性別、年齢、身長または体重のうちの少なくとも１つを含む、請求項１に記載のシステム。
【請求項９】
前記プロセッサはユーザ装置の一部である、請求項１に記載のシステム。
【請求項１０】
前記プロセッサはサーバーの一部である、請求項１に記載のシステム。
【請求項１１】
前記プロセッサは前記モニタリング装置の一部である、請求項１に記載のシステム。
【請求項１２】
前記ユーザの肺機能を示す前記呼気の測度を送信するように構成されたトランスミッタをさらに含む、請求項１に記載のシステム。
【請求項１３】
薬剤送達装置であって、
マウスピースと、
フローチャネルと、
薬剤と、を含み、
前記薬剤送達装置は、前記フローチャネルを介したユーザの吸入の結果として、前記ユーザに前記薬剤を送達するように構成され、
前記フローチャネルに空気的に接続された圧力センサであって、前記フローチャネルを介して前記薬剤を受け取るため前記マウスピースを介して前記ユーザが吸入するときに、少なくとも１つの圧力値を提供するように構成される、圧力センサと、
前記少なくとも１つの圧力値を受け取ると、前記少なくとも１つの圧力値に基づいて吸気の測度を決定し、前記吸気の測度に基づいてユーザの肺機能を示す呼気の測度を決定するプロセッサと、
を含む、薬剤送達装置。
【請求項１４】
前記吸気の測度は総吸入容量を含み、前記呼気の測度は１秒間強制呼気容量（ＦＥＶ１）を含む、請求項１３に記載の薬剤送達装置。
【請求項１５】
前記吸気の測度は最大吸気流（ＰＩＦ）を含み、前記呼気の測度は１秒間強制呼気容量（ＦＥＶ１）を含む、請求項１３に記載の薬剤送達装置。
【請求項１６】
前記吸気の測度は総吸入容量を含み、前記呼気の測度はピーク呼気流量（ＰＥＦ）を含む、請求項１３に記載の薬剤送達装置。
【請求項１７】
前記吸気の測度は最大吸気流（ＰＩＦ）を含み、前記呼気の測度はピーク呼気流量（ＰＥＦ）を含む、請求項１３に記載の薬剤送達装置。
【請求項１８】
マウスピースカバーをさらに備え、前記マウスピースカバーが開かれたときに前記薬剤を吸入可能にするように構成される、請求項１３に記載の薬剤送達装置。
【請求項１９】
前記呼気の測度は、前記ユーザのバイオメトリックデータに基づいて決定され、前記ユーザのバイオメトリックデータは、性別、年齢、身長または体重のうちの少なくとも１つを含む、請求項１３に記載の薬剤送達装置。
【請求項２０】
前記ユーザの肺機能を示す前記呼気の測度を外部装置に送信するように構成されたトランスミッタをさらに含む、請求項１３に記載の薬剤送達装置。
【誤訳訂正書】
【提出日】平成31年3月27日(2019.3.27)
【誤訳訂正１】
【訂正対象書類名】明細書
【訂正対象項目名】００２３
【訂正方法】変更
【訂正の内容】
【００２３】
【図６】図６は、完全な偏光子の間の本発明のスイッチング層の透明状態での透過特性のスペクトル測定の結果の図を示し、ここで、ツイストネマチック液晶層は、暗い状態と透明状態との間をスイッチングすることが第一の最小値においてすなわちｄΔｎ〜０．５、または、第二またはより高い最小値においてすなわちｄΔｎ＞０．７５、のいずれかであるように配されている。
【誤訳訂正２】
【訂正対象書類名】明細書
【訂正対象項目名】００４４
【訂正方法】変更
【訂正の内容】
【００４４】
入射光の透過とともに熱の透過についても、所望の実質的な削減に関して、ねじれネマチック液晶相が第一の最小値において暗い状態と透過状態とをスイッチングするｄΔｎがほぼ０．５（ここでｄはスイッチング層内のねじれネマチックセルの厚さであり、Δｎは光学的複屈折である）であるものを考えることができ、それは有利である。  ねじれネマチック液晶層を、ｄΔｎが約０．５である第一の最小値においての作動をさせると、すなわち、ｄΔｎが０．２５および０．７５の間、好ましくは、０．３５および０．６５の間、さらに好ましくは、０．４および０．６の間、最も好ましくは、０．４５および０．５５の間の値を有するようにして作動させると、透明状態において、ＮＩＲ領域では著しい透過光の減衰が起き、このことは少なくとも一つの偏光層によってもたらされる偏光と対応する透過光の減衰についての選好性に付け加わることがらである。
【誤訳訂正３】
【訂正対象書類名】明細書
【訂正対象項目名】００４５
【訂正方法】変更
【訂正の内容】
【００４５】
そのような層配列は、ねじれネマチック液晶層が透明状態であるときでさえも減少させなければならないような、多量の入射光がある地域で用いるのに適する。
本発明の別の態様は、ねじれネマチック液晶層が、ｄΔｎ＞０．７５、好ましくは、＞０．８、より好ましくは、＞０．８５、最も好ましくは、＞０．９の値を有する、第二またはより高次の最小値のところにおいて、ひとつの暗い状態とひとつの透明な状態間をスイッチングするように配置されたものである。
【誤訳訂正４】
【訂正対象書類名】明細書
【訂正対象項目名】００４６
【訂正方法】変更
【訂正の内容】
【００４６】
ｄΔｎ＞０．７５である、すなわち第二またはより高い最小値で透明状態であるねじれネマチック液晶層は、ＮＩＲ領域の入射光透過に著しくは影響を与えない。したがって、ねじれネマチック液晶層が透明状態および暗い状態間をスイッチするとき、ＮＩＲ領域の透過特性に大きな変化がある。この層配列は、好ましくは、ねじれネマチック液晶層の、透明状態でできるだけ多くの光透過を有すことおよび暗い状態でできるだけ多くの光および熱の透過を減少することが望まれる地域で用いられる。
【誤訳訂正５】
【訂正対象書類名】明細書
【訂正対象項目名】００６２
【訂正方法】変更
【訂正の内容】
【００６２】
図６の図式的測定結果は、スイッチング層（２）が、第一の最小値のところで暗い状態と透明状態の間のスイッチングが行われるｄΔｎ〜０．５のものである、層配列（１）の実線（１０）で示されている透過特性と、第二またはより高い最小値のところで暗い状態と透明状態との間をスイッチングするｄΔｎ＞０．７５のものである、層配列（１）の点線（１１）で示された透過特性との間の差を明確にしている。両方の線は、完全な偏光子の間にあるデバイスの透明状態を示す。透明状態が第一の最小値であるｄΔｎ〜０．５のものは、透明状態が第二またはそれよりも高い最小値であるｄΔｎ＞０．７５のものと比較してＮＩＲ領域のより低い透過を明らかに示す。透明状態であってもＮＩＲ領域における透過の減衰が大きいので、上記第一最少値のｄΔｎ〜０．５のスイッチング層（２）の配置は、高い入射光の明るさと、熱透過は常に減衰することが必要である地域において用いるのに適する。これとは対照的に、上記第二またはより高い最少値において暗い状態と透明状態との間をスイッチングするようにスイッチング層（２）が配置されたｄΔｎ＞０．７５の層配列（１）は、変化なく強い熱透過減少が常に起きるものよりも、透明状態および暗い状態間でエネルギー透過の差がより大きいものを、より好む地域において、好ましくは用いられる。
【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
大気汚染の皮膚に対する悪影響からの皮膚の保護、及び／又は大気汚染によって誘導される皮膚症状の修復のための、ディオスピロス・メスピリフォルミス抽出物又はそれを含む組成物の、美容的使用。
【請求項２】
前記大気汚染が、酸化剤、一酸化炭素、炭化水素及び溶媒、二酸化硫黄、金属、ホルムアルデヒド、タバコの煙、浮遊する粒子状物質又は細塵、並びに電磁波から選択される、屋内又は屋外の汚染物質の存在に起因することを特徴とする、請求項１に記載の使用。
【請求項３】
以下の活性：
皮膚及び角質層の結合の増加、並びに皮膚のバリア機能の改善、
ケラチノサイト増殖及び分化プロセスのホメオスタシスの回復、
皮膚マトリクスの回復、
皮膚の保湿の予防及び回復、
皮膚細胞の結合の改善、
細胞間情報伝達の改善、又は
真皮表皮接合部の回復、
による、汚染によって誘導される劣化の予防及び／又は皮膚障害の回復のための、請求項１又は２に記載の使用。
【請求項４】
汚染によって引き起こされる皮膚老化の予防及び／又は補正のための、請求項１〜３のいずれか一項に記載の使用。
【請求項５】
前記抽出物が前記植物の地上部の粉砕と、水性溶媒及び／又は有機溶媒による抽出とによって得られることを特徴とする、請求項１〜４のいずれか一項に記載の使用。
【請求項６】
前記組成物が０．０１重量％〜１０重量％の前記抽出物を含むことを特徴とする、請求項１〜５のいずれか一項に記載の使用。
【請求項７】
前記組成物が、軟化剤、染料、皮膜形成活性剤、界面活性剤、香料、防腐剤、乳化剤、油、グリコール、ビタミン、又はＵＶ遮断剤を含むことを特徴とする、請求項１〜６のいずれか一項に記載の使用。
【請求項８】
前記組成物が、ゲル、ローション、クリーム、エマルジョン、ミルク、スプレーの形態であることを特徴とする、請求項１〜７のいずれか一項に記載の使用。
【請求項９】
前記抽出物をサニキュラ・エウロペア抽出物と組み合わせたことを特徴とする、請求項１〜８のいずれか一項に記載の使用。
【請求項１０】
前記サニキュラ・エウロペア抽出物が、該植物の地上部の水溶性抽出物であることを特徴とする、請求項９に記載の使用。
【請求項１１】
前記抽出物又は前記抽出物の組み合わせを、フルセラリア・ルンブリカリス抽出物と組み合わせたことを特徴とする、請求項１〜１０のいずれか一項に記載の使用。
【請求項１２】
前記フルセラリア・ルンブリカリス抽出物が海塩で富化したオリゴファーセレランを含むことを特徴とする、請求項１１に記載の使用。
【請求項１３】
前記抽出物又は前記抽出物の組み合わせを、ラプサナ・コンムニス抽出物と組み合わせたことを特徴とする、請求項１〜１２のいずれか一項に記載の使用。
【請求項１４】
前記ラプサナ・コンムニス抽出物が、該植物の地上部の水性グリコールの抽出によって得られることを特徴とする、請求項１３に記載の使用。
【請求項１５】
適量の、
ディオスピロス・メスピリフォルミス抽出物を、単独で又はサニキュラ・エウロペア抽出物、及び／又はフルセラリア・ルンブリカリス抽出物、及び／又はラプサナ・コンムニス抽出物と組み合わせて、又は
前記抽出物若しくは前記組み合わせの１つを含む組成物
を皮膚に適用することを特徴とする、皮膚に対する汚染の影響を抑制する、及びそれを予防する美容ケア方法。
【手続補正書】
【提出日】平成31年4月15日(2019.4.15)
【手続補正１】
【補正対象書類名】特許請求の範囲
【補正対象項目名】全文
【補正方法】変更
【補正の内容】
【特許請求の範囲】
【請求項１】
改変ワクシニアアンカラ（Ankara）(MVA)、MVAΔE3L及びそれらの組合せからなる群から選択される改変ワクシニアウイルスを含む、対象における悪性固形腫瘍を治療するための組成物。
【請求項２】
改変ワクシニアアンカラ（MVA）、MVAΔE3L及びそれらの組合せの群から選択される改変ワクシニアウイルス、及び、免疫チェックポイント遮断剤又は免疫チェックポイントアゴニストを含む、対象における固形腫瘍を治療するための組成物。
【請求項３】
治療が、下記の1つ以上を含む、請求項１又は２に記載の組成物：
未処置のコントロール対象と比較して、
a．腫瘍に対抗する免疫応答を上昇させるように又は腫瘍に対抗する免疫系による進行中の応答を増強するように対象の免疫系を誘導する；
b．腫瘍のサイズを縮小する；
c．腫瘍を根絶する；
d．腫瘍の増殖を阻害する；
e．腫瘍の転移を阻害する；
f．転移性腫瘍を縮小させ又は根絶する；
g．腫瘍細胞のアポトーシスを誘導する；及び、
ｈ．対象の生存を延長する。
【請求項４】
下記の1つ以上を含む抗腫瘍免疫応答を誘引する、請求項１〜３のいずれか１項に記載の組成物：
未処置のコントロール対象と比較して、
a．腫瘍内及び/又は腫瘍流入領域リンパ節内の抗腫瘍細胞傷害性CD8+ T細胞及びエフェクターCD4+ T細胞の少なくとも一つの増加；
b．I型IFNの誘導を介する、腫瘍に浸潤する樹状細胞の成熟の誘導；
c．腫瘍内免疫抑制性（調節性）CD4+ T細胞の減少；
d．腫瘍内の免疫抑制性腫瘍随伴マクロファージ（TAM）の減少；
e．免疫細胞及び間質線維芽細胞におけるI型IFN、炎症性サイトカイン及びケモカイン生成の誘導。
【請求項５】
MVA又はMVAΔE3Lが腫瘍抗原をコード又は発現する核酸を内包しない、請求項1−４のいずれか１項に記載の組成物。
【請求項６】
腫瘍が、MVAデリバリー又はMVAΔE3Lデリバリーの場所に位置する腫瘍、対象の身体のどこか他の場所に位置する腫瘍、又は前記デリバリーの場所及び他の場所の両方に位置する腫瘍、を含む、請求項１〜５のいずれか１項に記載の組成物。
【請求項７】
MVA又はMVAΔE3Lが、腫瘍内の調節性CD4+細胞の減少を伴う、CD4+エフェクターT細胞の動員及び活性化に有効である、請求項１〜６のいずれか１項に記載の組成物。
【請求項８】
腫瘍が、メラノーマ又は結腸癌種又は別の固形腫瘍である、請求項１〜７のいずれか１項に記載の組成物。
【請求項９】
MVA又はMVAΔE3Lが、対象に対する非経口的デリバリー、腫瘍内デリバリー、静脈内デリバリー、又は腹腔内デリバリー用に処方されている、請求項１〜８のいずれか１項に記載の組成物。
【請求項１０】
MVA又はMVAΔE3Lが対象への非経口的デリバリー、腫瘍内デリバリー、静脈内デリバリー、及び／又は腹腔内デリバリー用に処方されており、免疫チェックポイント遮断剤又は免疫チェックポイントアゴニストが対象への非経口的デリバリー、腫瘍内デリバリー、静脈内デリバリー、及び／又は腹腔内デリバリー用に処方されている、請求項２記載の組成物。
【請求項１１】
免疫チェックポイント遮断剤が、PD-1阻害剤、PD-L1阻害剤、CTLA4阻害剤、LAG-3（リンパ球活性化遺伝子3）に対する阻害性抗体、TIM3（T細胞免疫グロブリン及びムチン-3）に対する阻害性抗体、B7-H3に対する阻害性抗体及びTIGIT（Ig及びITIMドメインを有するT細胞免疫受容体）に対する阻害性抗体からなる群から選択され、さらに免疫チェックポイントアゴニストが、抗ICOS抗体、抗OX40抗体、4-1BB（CD137）に対するアゴニスト抗体及びGITRに対するアゴニスト抗体からなる群から選択される、請求項２記載の組成物。
【請求項１２】
ウイルスが免疫チェックポイント遮断剤または免疫チェックポイントアゴニストと別個に、逐次的に、又は同時にデリバリーされる、請求項２記載の組成物。
【請求項１３】
１ヶ月に１回から１週間に１回、又はそれ以上の範囲の頻度で繰り返し、数週間、数ヶ月若しくは数年にわたって、又は利益が持続し最大耐性用量に達しない限り無期限に投与される、請求項１〜１２のいずれか１項記載の組成物。
【請求項１４】
MVA又はMVAΔE3Lが各投与につき約105−約1010プラーク形成単位（pfu）の用量で対象にデリバリーされるように処方されている、請求項１〜１３のいずれか１項記載の組成物。
【請求項１５】
MVA、MVAΔE3L及びそれらの組合せから成る群から選択される改変ワクシニアウイルスの治療的に有効な量を含み、前記MVA及び／又はMVAΔE3Lが腫瘍抗原をコード又は発現する異種核酸を含まない、固形腫瘍の治療用組成物。
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
微粒子と1種類以上の血小板膜タンパク質を含み、損傷部位に移動することができる循環血液細胞に結合しているタンパク質微粒子。
【請求項２】
前記循環血液細胞が好中球または単球である、請求項1に記載のタンパク質微粒子。
【請求項３】
リポソームを含むプロテオリポソームである、請求項1または2に記載のタンパク質微粒子。
【請求項４】
治療剤を封入している、請求項1〜3のいずれか1項に記載のタンパク質微粒子。
【請求項５】
リン脂質とコレステロールを含有するリポソームを含むプロテオリポソームである、請求項1〜4のいずれか1項に記載のタンパク質微粒子。
【請求項６】
前記1種類以上の血小板膜タンパク質が、血小板の膜から単離されたタンパク質混合物を含む、請求項1〜5のいずれか1項に記載のタンパク質微粒子。
【請求項７】
前記血小板が、活動していない血小板、または一部が活性化された血小板である、請求項6に記載のタンパク質微粒子。
【請求項８】
前記プロテオリポソームが、血小板膜の脂質成分を実質的に含まない、請求項1〜7のいずれか1項に記載のタンパク質微粒子。
【請求項９】
内皮細胞に結合しない、請求項1〜8のいずれか1項に記載のタンパク質微粒子。
【請求項１０】
前記治療剤が心臓保護剤である、請求項4〜9のいずれか1項に記載のタンパク質微粒子。
【請求項１１】
前記心臓保護剤が、抗炎症剤、抗アポトーシス剤、抗線維形成剤、免疫調節剤、または血管新生促進剤のいずれかである、請求項10に記載のタンパク質微粒子。
【請求項１２】
治療剤を被験者に送達するための、請求項1〜11のいずれか1項に記載のタンパク質微粒子の使用。
【請求項１３】
治療剤を送達するためのキットであって、請求項1〜11のいずれか1項に記載のタンパク質微粒子と治療剤を含み、該治療剤が該タンパク質微粒子に封入されているキット。